(57)【要約】      （修正有）【課題】簡易な構成によって車体内部又は車両に搭載される部品その他車両に関する特定の組み付け位置にワイヤハーネス及びこれと協働する部品としてのハーネスプロテクタを容易に組み付けして固定することを可能とする技術を提供する。【解決手段】ハーネスプロテクタ１は、車両の電装品に接続されるワイヤハーネスの配索方向を規制する規制部としての根元部１０ａ並びに分岐部１０ｂ及び１０ｃと、規制部をインテークマニホールド３０のネジ孔３２ｘ及び３２ｙに組み付けるための組み付け部としての固定部１１及び１２と、規制部を、ネジ孔３２ｘ及び３２ｙに対応した位置に設けられた枠体３１に仮止めするための仮止め部１３と、仮止め部１３が枠体３１に仮止めされていない場合にネジ孔３２ｘ又は３２ｙを介して組み付けが行われる際に、仮止め部１３が枠体３１に固定されていないことを組み付けの作業に応じて検出する接触部１３ｂとを備えた。【選択図】図６
2020072517.tif 000002
【特許請求の範囲】
【請求項１】
車両の電装品に接続されるワイヤハーネスの配索方向を規制する規制部と、
前記規制部を前記車両に関する所望の組み付け位置に組み付けるための組み付け部と、
前記規制部を、前記組み付け位置に対応した位置に設けられた前記車両に関する特定の仮止め位置に仮止めするための仮止め部と、
前記仮止め部が前記仮止め位置に仮止めされていない場合に前記組み付け位置を介して組み付けが行われる際に、前記仮止め部が前記仮止め位置に固定されていないことを組み付けの作業に応じて検出する検出部とを備えた、
ハーネスプロテクタ。
【発明の詳細な説明】
【技術分野】
【０００１】
本発明は、自動車等の車両に配索されるワイヤハーネスを保護するためのハーネスプロテクタに関する。
【背景技術】
【０００２】
従来、自動車等の車両内における電装品同士の接続に用いられるワイヤハーネスは、車体内部の配索に際して電気接続箱やカバー等の協働する部品とともに特定の位置に組み付けられ、固定される場合がある。その際、ワイヤハーネスは宙吊りの状態となり、部品の取付に際して他の作業を阻害するという不具合があった。
【０００３】
そのような不具合を解消する技術の例として、特許文献１には、電気接続箱、当該電気接続箱に接続されるワイヤハーネスの端末コネクタ及びコネクタカバーにボルト貫通孔を設け、車体やパネル等の被取付部に突設した締付けボルトにこれらを順次挿通させて組み付け固定するようにした技術が開示されている。これによれば、電気接続箱の車体への取付作業と、ワイヤハーネスのコネクタへの組み付け作業、及び固定作業を同時に行い、作業性が改善される、とされる。
【先行技術文献】
【特許文献】
【０００４】
【特許文献１】実開平１−７１９１７号公報
【発明の概要】
【発明が解決しようとする課題】
【０００５】
しかしながら、上記従来の技術には、以下のような課題があった。すなわち、上記従来の技術においては、被取付部に締付けボルトを予め設ける必要があるもので、被取付部としての車体やパネル等の構成を複雑化してしまう。また、ワイヤハーネスの組み付け箇所は、車体やパネルの他、車両に搭載されるエンジンやラジエータ等の部品上になる場合があるところ、そのような部品に対しても逐一組み付けボルトを設けることは実現容易性に乏しいものであった。
【０００６】
本発明は、上記の課題に鑑みてなされたものであり、簡易な構成によって車体内部又は車両に搭載される部品その他車両に関する特定の組み付け位置にワイヤハーネス及びこれと協働する部品を容易に組み付けして固定することが可能なハーネスプロテクタを提供することを目的とする。
【課題を解決するための手段】
【０００７】
上記の目的を達成するために、本発明の側面は、車両の電装品に接続されるワイヤハーネスの配索方向を規制する規制部と、前記規制部を前記車両に関する所望の組み付け位置に組み付けるための組み付け部と、前記規制部を、前記組み付け位置に対応した位置に設けられた前記車両に関する特定の仮止め位置に仮止めするための仮止め部と、前記仮止め部が前記仮止め位置に仮止めされていない場合に前記組み付け位置を介して組み付けが行われる際に、前記仮止め部が前記仮止め位置に固定されていないことを組み付けの作業に応じて検出する検出部とを備えた、ハーネスプロテクタである。
【０００８】
なお、本発明は他の側面として、前記組み付け部は前記規制部上に形成されるとともに、前記仮止め部が前記仮止め位置に仮止めされていない場合に前記車両に関する特定位置に接触して、前記組み付けの状態に連動して前記規制部の位置又は姿勢を変化させるものであってもよい。
【０００９】
更に、本発明は他の側面として、前記仮止め部と前記検出部は一体成形され、前記車両の前記仮止め位置は前記車両に関する前記特定位置に略一致しているものであってもよい。
【発明の効果】
【００１０】
以上のような本発明は、簡易な構成によって車体内部又は車両に搭載される部品その他車両に関する特定の組み付け位置にワイヤハーネス及びこれと協働する部品を容易に組み付けして固定することが可能になるという効果を奏する。
【図面の簡単な説明】
【００１１】
【図１】本発明の実施の形態に係るハーネスプロテクタの構成を示す斜視図
【図２】本発明の実施の形態に係るハーネスプロテクタの構成を示す斜視図
【図３】本発明の実施の形態に係るハーネスプロテクタの組み付け状態を説明するための斜視図
【図４】本発明の実施の形態に係るハーネスプロテクタの組み付け状態を説明するための平面図
【図５】本発明の実施の形態に係るハーネスプロテクタの組み付け状態を説明するための平面図
【図６】本発明の実施の形態に係るハーネスプロテクタの組み付け状態を説明するための平面図
【発明を実施するための形態】
【００１２】
以下、本発明の実施の形態について、図面を参照しながら説明する。
【００１３】
本実施の形態に係るハーネスプロテクタは、例として車両のエンジンコンパートメント内に配設されたエンジンのインテークマニホールドの表面にワイヤハーネスとともに組み付けられ、エンジンコンパートメントの内外に設けられた電装品に接続されるワイヤハーネスの向きを規制して配索を補助するととともに、ワイヤハーネスを保護するための部品である。
【００１４】
図１は、本発明の実施の形態に係るハーネスプロテクタの構成を示す前方から見た斜視図であり、図２は後方から見た斜視図である。なお、以下の説明において、前後方向をなす軸、並びに上下方向をなす軸、左右方向をなす軸は図１及び２に示す直交座標により示すように互いに直交し、これら各軸はハーネスプロテクタの前後、上下及び左右の方向を定義する。以後の説明も適宜図中座標を参照して行う。
【００１５】
各図に示すように、本実施の形態に係るハーネスプロテクタ１は、合成樹脂製の本体部１０において放射状に配置され、複数のワイヤハーネスの束の配索方向を規制する根元部１０ａ並びに分岐部１０ｂ及び１０ｃ、根元部１０ａの左右両端に形成された、インテークマニホールドに固定するための固定部１１及び１２、並びにハーネスプロテクタ１を組み付け対象であるインテークマニホールドの仮止め位置に一時的に固定（仮止め）するための仮止め部１３を主要な構成として備える。なお、上述した各部は、インジェクション成形により本体部１０の異なる部位として一体的に形成される。
【００１６】
更に、根元部１０ａは複数のワイヤハーネスの束２０ａを上下方向に規制して配置させる部位である。分岐部１０ｂはワイヤハーネスの束２０ａを分岐させてなる束２０ｂを左斜め上方向に規制して配置させる部位である。分岐部１０ｃはワイヤハーネスの束２０ａの残りを分岐させてなる束２０ｃを右斜め上方向に規制して配置させる部位である。
【００１７】
根元部１０ａ並びに分岐部１０ｂ及び１０ｃは、横断面形状が半円状又は弧状の形状を有し、これにより本体部１０の凹面１０ｘを形成し、凹面１０ｘの表面にワイヤハーネスの束２０ａ、２０ｂ及び２０ｃをそれぞれ密着させることにより、ワイヤハーネス全体をハーネスプロテクタ１へ装着する。なお、ワイヤハーネスの束２０ａ〜２０ｃとハーネスプロテクタ１との固定は、図示しないカバー部材による凹面１０ｘの閉塞、又は根元部１０ａ並びに分岐部１０ｂ及び１０ｃとワイヤハーネスの束２０ａ〜２０ｃのそれぞれとを結束することにより行う。
【００１８】
固定部１１及び１２は、前面から裏面を貫通する貫通孔１１ｘ及び１２ｘがそれぞれ設けられ、後述する締結ボルトを挿通させて、インテークマニホールドにハーネスプロテクタ１を締結により固定するための部位である。
【００１９】
仮止め部１３は、分岐部１０ｂ及び１０ｃの根元であってこれらの間に位置して、前方から後方に延出する部位である。仮止め部１３の先端部１３ａは、仮止め部１３の側面視、すなわち左右方向から見た平面形状を鉤状とするよう下方へ屈曲して、後述するインテークマニホールドの仮止め位置に係止する。更に、仮止め部１３の先端部１３ａの根元は更に後方に分岐して、平面視、すなわち上下方向から見た平面形状が三角形であって頂点が前方に突出する接触部１３ｂを形成する。
【００２０】
以上の構成において、ハーネスプロテクタ１は本発明のハーネスプロテクタに相当し、根元部１０ａ並びに分岐部１０ｂ及び１０ｃは本発明の規制部に相当し、固定部１１及び１２は本発明の組み付け部に相当する。また、仮止め部１３は本発明の仮止め部に相当し、接触部１３ｂは本発明の検出部に相当する。
【００２１】
このような構成を有する本発明の実施の形態のハーネスプロテクタは、ワイヤハーネスの束２０ａ〜２０ｃをそれぞれ根元部１０ａ並びに分岐部１０ｂ及び１０ｃに配置した状態にて、組み付け対象であるインテークマニホールドの仮止め位置に仮止めする仮止め部１３を備えたことにより、ワイヤハーネスの束２０ａ〜２０ｃ及びハーネスプロテクタ１をインテークマニホールドに固定した状態で、組み付け作業を行うことを可能とする。
【００２２】
以下、図３を参照して詳細な説明を行う。図３は、本実施の形態のハーネスプロテクタ１をインテークマニホールド３０へ組み付ける工程を説明するための斜視図である。
【００２３】
図３に示すように、ハーネスプロテクタ１は、ワイヤハーネスの束２０ａ〜２０ｃを凹面１０ｘに配置した状態にて、仮止め部１３の先端部１３ａを、インテークマニホールド３０の仮止め位置に形成された枠体３１に係止させる。枠体３１は、平面視において略コの字状の外形を有し上方に突設される部位で、コの字の開いた側を後方に向けた態様にてインテークマニホールド３０の上面に設けられる。更に、インテークマニホールド３０の正面、すなわちハーネスプロテクタ１との対向面において、締結のためのネジ孔３２ｘ及び３２ｙが開口される。
【００２４】
ここでハーネスプロテクタ１における仮止め部１３並びに固定部１１及び１２の配置は、インテークマニホールド３０における枠体３１、ネジ孔３２ｘ及び３２ｙの配置に対応する。すなわち、図４の平面図に示すように、仮止め部１３の先端部１３ａが枠体３１に係止した状態で、固定部１１及び１２はインテークマニホールド３０の壁面３２に面接触するとともに、貫通孔１１ｘはネジ孔３２ｘに、貫通孔１２ｘはネジ孔３２ｙに、それぞれ同軸配置される。
【００２５】
これにより、ワイヤハーネスの束２０ａ〜２０ｃ及びハーネスプロテクタ１はインテークマニホールド３０に仮止めした状態で、組み付け作業者は図３に示す締結ボルト４０ａ及び４０ｂをそれぞれ固定部１１及び１２に締結させる組み付け作業を行うことができる。なお、図４並びに後述する図５及び６においては説明の容易のため、ハーネスプロテクタ１に装着されたワイヤハーネスの束２０ａ〜２０ｃは省略して示した。
【００２６】
上記の構成において、インテークマニホールド側のネジ孔３２ｘ及び３２ｙは周知慣用の技術的構成として、壁面３２上に容易に設けることができる。また、枠体３１はインテークマニホールド表面の形状を利用することができ、仮止め部１３の形状はインテークマニホールド３０側の形状に対応して任意の態様とすることができる。
【００２７】
したがって、簡易な構成によって車両に関する特定の組み付け位置としてのインテークマニホールド３０の表面にワイヤハーネスとともにハーネスプロテクタ１を容易に組み付けして固定することが可能となる。
【００２８】
更に、本実施の形態のハーネスプロテクタ１は、仮止め部１３の先端の先端部１３ａの根元から後方に分岐した接触部１３ｂを備えたことにより、以下の効果を奏する。すなわち、ハーネスプロテクタ１の組み付けは、ワイヤハーネスの束２０ａ〜２０ｃがハーネスプロテクタ１に装着された状態で行われるため、ハーネスプロテクタ１はワイヤハーネスの束２０ａ〜２０ｃの弾性によりインテークマニホールド３０に押し付けられる場合がある。
【００２９】
このとき、図５に示すように、作業者が誤って仮止め部１３を枠体３１に係止させなかった場合であっても、壁面３２に押し付けられたハーネスプロテクタ１は固定部１１又は１２とネジ孔３２ｘ又は３２ｘとが同軸配置されてしまい、そのまま締結ボルトを挿入可能な状態となり、誤組付けを行ってしまう恐れがある。なお、図５においては、仮止め部１３は枠体３１の直下にあって、ハーネスプロテクタ１は、貫通孔１１ｘを軸として左右方向及び上下方向を含む平面上を回転した状態でインテークマニホールド３０の壁面３２に、仮止め部１３の接触部１３ｂが接触した状態で、貫通孔１２ｘとネジ孔３２ｙとは中心軸Ｘ１２に対してオフセットを生じさせる一方、貫通孔１１ｘとネジ孔３２ｘとが中心軸Ｘ１に同軸配置されることで、締結ボルト４０ａの誤組み付けが発生する恐れがある状態となっている。。
【００３０】
本実施の形態のハーネスプロテクタ１は、以上のようにハーネスプロテクタ１とインテークマニホールド３０との仮止めが正規の位置にてなされない状態においてインテークマニホールド３０の壁面３２を特定位置として接触部１３ｂが接触することにより、図６に示すように、締結ボルト４０ａの締結を行った場合、接触部１３ｂは締結動作に連動して壁面３２上を摺動することにより、ハーネスプロテクタ１が姿勢変化として前後方向及び左右方向を含む平面上における回転を引き起こす。これにより、組み付け作業者は、ハーネスプロテクタ１の姿勢の変化から誤組み付けがなされたことを知覚して、正しい組み付けをやり直すことが可能となる。
【００３１】
更に、貫通孔１１ｘとネジ孔３２ｘに締結ボルト４０ａが無理に挿入、締結された場合であっても、ハーネスプロテクタ１の姿勢変化によって、固定部１２の貫通孔１２ｘと壁面３２のネジ孔３２ｙとは、図６に示す前後方向、及び図中平面に直交する上下方向の両方において中心軸Ｘ２に対するオフセット量が大きくなることとなり、締結ボルト４０ｂの締結は不可能な状態におかれる。これにより、組み付け作業者は、ハーネスプロテクタ１の姿勢の変化を看過した場合であっても、正しい組み付けをやり直すことが可能となる。
【００３２】
一方、作業者が仮止め部１３を枠体３１に係止させて正規の位置に仮止めした場合は、接触部１３ｂは枠体３１の内部の開口端３１ｘ内に配置されるため、インテークマニホールド３０と接触することはなく、締結ボルト４０ａ、４０ｂの締結によってハーネスプロテクタ１の姿勢の変化を生じさせることはない。
【００３３】
このように、本実施の形態のハーネスプロテクタ１は、ワイヤハーネスの束２０ａ〜２０ｃをそれぞれ根元部１０ａ並びに分岐部１０ｂ及び１０ｃに装着した状態にて、組み付け対象であるインテークマニホールドの仮止め位置に仮止めする仮止め部１３を備えるとともに、更に、仮止め部１３が仮止め位置に仮止めされていない場合はインテークマニホールド３０の特定位置としての壁面３２に接触して、組み付け作業に連動してハーネスプロテクタ１の姿勢変化を生じさせる接触部１３ｂを備えたことにより、ワイヤハーネスを配置したハーネスプロテクタ１の誤組み付けの発生を抑制し、組み付け作業の生産性を向上させることが可能となる。
【００３４】
以上のように、本発明の実施の形態のハーネスプロテクタによれば、簡易な構成によって車両に搭載される部品にワイヤハーネス及びハーネスプロテクタを容易に組み付けして固定することが可能になるという効果を奏する。
【００３５】
しかしながら、本発明は上記の実施の形態に限定されるものではない。上記の説明においては、本発明のハーネスプロテクタであるハーネスプロテクタ１は、車両に搭載される部品の例としてのインテークマニホールド３０に固定されるものとしたが、本発明の車両に関する特定の組み付け位置は、車両に搭載される他の任意の部品上にあってもよいし、車両の車体を構成する部品上にあってもよい。したがって、本発明は車体のピラーやパネルの組み付けに対して実施してもよい。
【００３６】
更に、上記の説明においては、仮止め部１３は、インテークマニホールド３０に仮止めするための先端部１３ａと、誤組み付けに連動してハーネスプロテクタ１の姿勢を変化させる接触部１３ｂとは一体成形されるものとしたが、本発明の仮止め部と検出部とは独立した部位としてハーネスプロテクタ上に設けられるものとしてもよい。
【００３７】
更に、上記の説明においては、ハーネスプロテクタ１とインテークマニホールド３０との組み付けは締結ボルト４０ａ及び４０ｂによる締結によるものとしたが、本発明のハーネスプロテクタの組み付けは、仮止め部が仮止め位置に仮止めされていない場合に組み付け位置を介して組み付けが行われる際に、検出部が、規制部が仮止め位置に固定されていないことを検出可能な態様によって行われればよく、その手法、位置、組み付け箇所数その他の具体的な構成によって限定されるものではなく、他の周知慣用の技術的手段によるものであってもよい。
【００３８】
更に、上記の説明においては、ハーネスプロテクタ１の仮止め部１３の接触部１３ｂは、誤組み付けである締結ボルト４０ａの締結動作に連動して特定位置としての壁面３２上を摺動することにより、ハーネスプロテクタ１の姿勢変化を生じさせることにより誤組み付けを検出させるものとしたが、本発明の検出部は、ハーネスプロテクタの前後、誤組み付けの作業に連動して左右又は上下の位置変化を生じさせることにより誤組み付けを検出させるものとしてもよい。更に、本発明の検出部は誤組み付けの作業に連動して組み付け対象に対して摺動することで異音を発生して誤組み付けを検出させるものとしてもよい。
【００３９】
以上のように、本発明は、ハーネスプロテクタであって、車両の電装品に接続されるワイヤハーネスの配索方向を規制する規制部と、前記規制部を前記車両に関する所望の組み付け位置に組み付けるための組み付け部と、前記規制部を、前記組み付け位置に対応した位置に設けられた前記車両に関する特定の仮止め位置に仮止めするための仮止め部と、前記仮止め部が前記仮止め位置に仮止めされていない場合に前記組み付け位置を介して組み付けが行われる際に、前記仮止め部が前記仮止め位置に固定されていないことを組み付けの作業に応じて検出する検出部とを備えたものであればよく、その他の具体的な目的、用途、構成によって限定されるものではない。
【００４０】
したがって、本発明は、その要旨を逸脱しない範囲内であれば、以上説明したものを含め、上記実施の形態に種々の変更を加えたものとして実施してもよい。
【産業上の利用可能性】
【００４１】
以上のような本発明は、簡易な構成によって車体内部又は車両に搭載される部品その他車両に関する特定の組み付け位置にワイヤハーネス及びこれと協働する部品としてのハーネスプロテクタを容易に組み付けして固定することが可能となり、例えば自動車等の車両へのワイヤハーネスへの適用において有用である。
【符号の説明】
【００４２】
１  ハーネスプロテクタ
１０  本体部
１０ａ  根元部
１０ｂ、１０ｃ  分岐部
１０ｘ  凹面
１１  固定部
１１ｘ、１２ｘ  貫通孔
１３  仮止め部
１３ａ  先端部
１３ｂ  接触部
２０ａ、２０ｂ、２０ｃ、ワイヤハーネスの束
３０  インテークマニホールド
３１  枠体
３１ｘ  開口端
３２  壁面
３２ｘ、３２ｙ  ネジ孔
４０ａ、４０ｂ  締結ボルト
【図１】
2020072517.tif 000003
【図２】
2020072517.tif 000004
【図３】
2020072517.tif 000005
【図４】
2020072517.tif 000006
【図５】
2020072517.tif 000007
【図６】
2020072517.tif 000008